(57)【特許請求の範囲】
【請求項１】
入力される音声信号を、少なくとも低音域側の第１出力信号と該第１出力信号よりも高音域側の第２出力信号とに帯域分割して、それぞれ第１出力端子および第２出力端子に出力する低域通過フィルタＬＰＦおよび高域通過フィルタＨＰＦと、これらを制御する制御回路と、を含むチャンネルデバイダであって、
該帯域分割を規定する任意のクロスオーバー周波数ｆｃ０を指定する場合に、該制御回路が、該低域通過フィルタＬＰＦのカットオフ周波数ｆｃＬを該クロスオーバー周波数ｆｃ０よりも約１／６〜１オクターブ程度高く設定し、該高域通過フィルタＨＰＦのカットオフ周波数ｆｃＨを該クロスオーバー周波数ｆｃ０よりも約１／６〜１オクターブ程度低く設定し、周波数帯域ｆｃＬ−ｆｃＨをともに含む該第１出力信号および該第２出力信号をそれぞれ該第１出力端子および第２出力端子に出力する音声出力モードを有する、
チャンネルデバイダ。
【請求項２】
所定の帯域を含むテスト信号を発生させるテスト信号発生回路をさらに備え、該テスト信号を前記低域通過フィルタＬＰＦおよび前記高域通過フィルタＨＰＦを直列接続して構成する狭帯域通過フィルタＢＰＦに通過させ、該狭帯域通過フィルタＢＰＦの出力信号を、前記第１出力端子のみから出力し、又は、前記第２出力端子のみから出力し、又は、該第１出力端子および該第２出力端子の両方から出力する、ように前記制御回路が切り換えるテスト信号出力モードを有する、
請求項１に記載のチャンネルデバイダ。
【請求項３】
前記低域通過フィルタＬＰＦおよび前記高域通過フィルタＨＰＦが、前記第１出力信号または前記第２出力信号のレベル調整を行なうレベル調整回路と、該第１出力信号または該第２出力信号の位相反転を行なう位相反転回路と、該第１出力信号または該第２出力信号の遅延時間を調整する遅延回路と、をそれぞれ含む、
請求項１または２に記載のチャンネルデバイダ。
【請求項４】
音声を音声信号に変換して前記制御回路へ測定信号として入力するマイクロホンと、該マイクロホンからの該測定信号のレベルを表示する表示回路と、をさらに備え、
前記テスト信号出力モードにおいて、前記狭帯域通過フィルタＢＰＦの出力である前記テスト信号を、前記第１出力端子のみから出力する場合に測定する第１測定レベルと、前記第２出力端子のみから出力する場合に測定する第２測定レベルと、を該制御回路が比較して、該表示回路が前記クロスオーバー周波数ｆｃ０を変更することあるいは保つことを示唆する表示を行なう、又は、該制御回路が該クロスオーバー周波数ｆｃ０を変更してあるいは保って設定する、
請求項２または３に記載のチャンネルデバイダ。
【請求項５】
前記テスト信号出力モードにおいて、前記狭帯域通過フィルタＢＰＦの出力である前記テスト信号を前記第１出力端子および前記第２出力端子の両方から出力する場合に測定する第３測定レベルと、前記第１測定レベルと、前記第２測定レベルと、を該制御回路が比較して、該第３測定レベルが該第１測定レベルまたは該第２測定レベルよりも所定値以上低い場合には、前記表示回路が逆相接続に変更することを示唆する表示を行なう、又は、該制御回路が前記第１出力信号または前記第２出力信号の位相反転を行なう、
請求項４に記載のチャンネルデバイダ。
【請求項６】
前記音声出力モードにおいて、前記第１出力端子から前記第１出力信号のみ出力し、又は、前記第２出力端子から前記第２出力信号のみ出力する、帯域別音声出力モードをさらに有する、
請求項１から５のいずれかに記載のチャンネルデバイダ。
【請求項７】
入力される音声信号を、前記第１出力信号よりも低音域側の第３出力信号、および／または、前記第２出力信号よりも高音域側の第４出力信号に帯域分割して、それぞれ第３出力端子、および／または、第４出力端子にさらに出力するチャンネルデバイダであって、
前記低域通過フィルタＬＰＦおよび前記高域通過フィルタＨＰＦが、それぞれ直列接続する他の高域通過フィルタＨＰＦまたは他の低域通過フィルタＬＰＦと組み合わせて帯域通過フィルタＢＰＦを構成し、それぞれ第１出力端子または第２出力端子に出力する、
請求項１から６のいずれかに記載のチャンネルデバイダ。
【請求項８】
請求項１から７のいずれかに記載のチャンネルデバイダと、該チャンネルデバイダのそれぞれの出力端子に対応する増幅回路を含む増幅器と、少なくともウーファー及びツィーターとそれぞれに対応するネットワーク回路とを少なくとも含み、該増幅器とバイワイヤリング接続が可能なスピーカーシステムと、を含む音声再生システム。
【請求項９】
入力される音声信号を、少なくとも低音域側の第１出力信号と該第１出力信号よりも高音域側の第２出力信号とに帯域分割して、それぞれ第１出力端子および第２出力端子に出力する低域通過フィルタＬＰＦおよび高域通過フィルタＨＰＦを含むチャンネルデバイダと、該チャンネルデバイダのそれぞれの出力端子に対応する増幅回路を含む増幅器と、少なくともウーファー及びツィーターとそれぞれに対応するネットワーク回路とを少なくとも含み、該増幅器とバイワイヤリング接続が可能なスピーカーシステムと、を含むオーディオ再生システムにおいて、該スピーカーシステムの該ネットワーク回路で設定されている該ウーファー及び該ツィーター間でのクロスオーバー周波数ｆｃを探知して該チャンネルデバイダのクロスオーバー周波数ｆｃ０を設定する方法であって、
該チャンネルデバイダの該帯域分割を規定する任意の該クロスオーバー周波数ｆｃ０を指定するステップと、該低域通過フィルタＬＰＦのカットオフ周波数ｆｃＬを該クロスオーバー周波数ｆｃ０よりも約１／６〜１オクターブ程度高く設定するステップと、該高域通過フィルタＨＰＦのカットオフ周波数ｆｃＨを該クロスオーバー周波数ｆｃ０よりも約１／６〜１オクターブ程度低く設定するステップと、該低域通過フィルタＬＰＦおよび該高域通過フィルタＨＰＦを直列接続して狭帯域通過フィルタＢＰＦを構成するステップと、所定の帯域を含むテスト信号を発生させて狭帯域通過フィルタＢＰＦに通過させるステップと、該狭帯域通過フィルタＢＰＦのテスト信号出力を、該第１出力端子のみから出力する、又は、該第２出力端子のみから出力し、又は、該第１出力端子および該第２出力端子の両方から出力する、ように切り換えるステップと、を含む、
チャンネルデバイダのクロスオーバー周波数を設定する方法。
【発明の詳細な説明】
【技術分野】
【０００１】
本発明は、マルチウェイスピーカーシステムによる音声信号再生で使用するチャンネルデバイダおよびそのクロスオーバー周波数を設定する方法であって、特に、ネットワーク回路を含んでバイワイヤリング接続可能なスピーカーシステムを用いる場合に、適切にチャンネルデバイダのクロスオーバー周波数を設定することができて、良好な音声再生が可能なチャンネルデバイダに関する。
【背景技術】
【０００２】
低音域再生用のウーファー及び高音域再生用のツィーターを含むマルチウェイスピーカーシステムでは、各スピーカーユニットの再生周波数帯域に合わせてアンプで増幅された音声信号を帯域分割するネットワーク回路を含む場合が一般的である。近年では、ウーファーに対応するネットワーク回路とツィーターに対応するネットワーク回路をそれぞれに独立することができ、それぞれに接続する入力端子を備えるバイワイヤリング接続に対応するスピーカーシステムが普及している（以下、バイワイヤリングＳＳと省略する。）。バイワイヤリング接続では、ウーファーのネットワーク回路に接続するパワーアンプと、ツィーターのネットワーク回路に接続する他のパワーアンプと、を用いるバイアンプ駆動を採用することになる。
【０００３】
一方で、スピーカーシステムのネットワーク回路を使用せずにマルチアンプ（バイアンプ）駆動を実現する方法として、パワーアンプの前段にチャンネルデバイダを設けて、このチャンネルデバイダによって音声信号を帯域分割する場合がある。チャンネルデバイダは、上記のようなマルチアンプ−マルチウェイスピーカーシステムの音声再生システムにおいて、入力される音声信号を少なくとも低音域側出力信号と高音域側出力信号とに帯域分割して、マルチアンプに出力する。チャンネルデバイダを用いることで、スピーカーシステムのネットワークよりも急峻な過渡帯域を持つＬＰＦ（低域通過フィルタ）あるいはＨＰＦ（高域通過フィルタ）を設定できる、クロスオーバー周波数を比較的自由に設定できる、等の利点がある（例えば、特許文献１）。また、チャンネルデバイダを採用する場合には、低音域用のアンプ回路と高音域用のアンプ回路が独立するので、低音成分と高音成分とが重畳して発生する混変調歪が低減し、再生音質に優れるという利点があると言われている。
【０００４】
近年、ＤＳＰおよびマルチアンプを含むＡＶレシーバー等を利用してネットワーク回路を備えないスピーカーシステムを接続できるように、ＤＳＰにチャンネルデバイダの機能を持たせようとするものがある（特許文献２、特許文献３）。チャンネルデバイダをデジタルフィルタで実現する場合にはＦＩＲフィルタまたはＩＩＲフィルタによる場合がある。チャンネルデバイダを使用するには、マイクロホン等を用いてスピーカーシステムの各スピーカーユニットの再生帯域を測定して、クロスオーバー周波数を適切に設定する必要がある（特許文献４、特許文献５）。
【０００５】
従来のチャンネルデバイダでは、ウーファーおよびツィーター間にクロスオーバー周波数を設定すると、これが低音域側のＬＰＦと高音域側のＨＰＦとのカットオフ周波数に自動的に適用されるものがある。もちろん、低音域側のＬＰＦのカットオフ周波数と高音域側のＨＰＦのカットオフ周波数とを独立して設定できるチャンネルデバイダも存在する。ただし、ネットワーク回路を用いない使用条件では、ウーファーおよびツィーターが再生可能な帯域が重複していることが多いので、これらの隣接する周波数帯域を担当するフィルタのカットオフ周波数は、上記重複する帯域において同一の周波数の設定値に設定することが多い。
【０００６】
しかしながら、音声再生システムにチャンネルデバイダを採用しようとしても、一部を除く一般ユーザーにとっては、ネットワーク回路を省略したスピーカーシステムを構成する（市販品を改造する、ユニットのみで自作する、など。）こと、および、マイクロホンを利用して適切なクロスオーバー周波数を設定すること、はハードルが高いという問題があり、ＡＶレシーバー等の家庭用のオーディオ装置では、マルチチャンネルアンプ回路を利用したバイアンプ駆動が可能であっても、チャンネルデバイダの機能はほとんど採用されていない。
【０００７】
その一方で、普及しているネットワーク回路を含むバイワイヤリングＳＳとチャンネルデバイダとを用いてバイアンプ駆動を実現しようとすると、実際にはクロスオーバー周波数の設定が困難であると言う問題がある。バイワイヤリングＳＳは、ネットワーク回路を含んだ上で所定の平坦な合成特性が得られるように設計されているので、チャンネルデバイダによりマルチチャンネルアンプ回路の前段でクロスオーバー周波数を設定して帯域分割すると、結果的に音圧周波数特性上にディップが生じてしまう場合がある。バイワイヤリングＳＳのクロスオーバー周波数に対してチャンネルデバイダで設定するクロスオーバー周波数がずれると、音圧周波数特性上のディップはかなり大きくなり、適切に再生されない帯域が広くなるという問題がある。また、マイクロホンおよびレベルメータ、ＦＦＴアナライザ等の測定器が無ければ、バイワイヤリングＳＳの未知のクロスオーバー周波数を一般ユーザーが知るのは困難であり、一般的なユーザーにとっては、チャンネルデバイダでクロスオーバー周波数を設定するのが困難な場合がある。
【０００８】
【特許文献１】特開２００５−１０９９６９号公報
【特許文献２】特開２００２−１１１３９９号公報
【特許文献３】特開２００５−１８４１４９号公報
【特許文献４】特許第４３２１３１５号公報
【特許文献５】実開平５−３９０９７号公報
【発明の概要】
【発明が解決しようとする課題】
【０００９】
本発明は、上記の従来技術が有する問題を解決するためになされたものであり、その目的は、マルチウェイスピーカーシステムによる音声信号再生で使用するチャンネルデバイダおよびチャンネルデバイダのクロスオーバー周波数を設定する方法であって、特に、ネットワーク回路を含んでバイワイヤリング接続可能なスピーカーシステムを用いる場合に、適切にチャンネルデバイダのクロスオーバー周波数を設定することができるチャンネルデバイダを提供することにある。
【課題を解決するための手段】
【００１０】
本発明のチャンネルデバイダは、入力される音声信号を、少なくとも低音域側の第１出力信号と第１出力信号よりも高音域側の第２出力信号とに帯域分割して、それぞれ第１出力端子および第２出力端子に出力する低域通過フィルタＬＰＦおよび高域通過フィルタＨＰＦと、これらを制御する制御回路と、を含むチャンネルデバイダであって、帯域分割を規定する任意のクロスオーバー周波数ｆｃ０を指定する場合に、制御回路が、低域通過フィルタＬＰＦのカットオフ周波数ｆｃＬをクロスオーバー周波数ｆｃ０よりも約１／６〜１オクターブ程度高く設定し、高域通過フィルタＨＰＦのカットオフ周波数ｆｃＨをクロスオーバー周波数ｆｃ０よりも約１／６〜１オクターブ程度低く設定し、周波数帯域ｆｃＬ−ｆｃＨをともに含む第１出力信号および第２出力信号をそれぞれ第１出力端子および第２出力端子に出力する音声出力モードを有する。
【００１１】
好ましくは、本発明のチャンネルデバイダは、所定の帯域を含むテスト信号を発生させるテスト信号発生回路をさらに備え、テスト信号を低域通過フィルタＬＰＦおよび高域通過フィルタＨＰＦを直列接続して構成する狭帯域通過フィルタＢＰＦに通過させ、狭帯域通過フィルタＢＰＦの出力信号を、第１出力端子のみから出力し、又は、第２出力端子のみから出力し、又は、第１出力端子および第２出力端子の両方から出力する、ように制御回路が切り換えるテスト信号出力モードを有する。
【００１２】
また、好ましくは、本発明のチャンネルデバイダは、低域通過フィルタＬＰＦおよび高域通過フィルタＨＰＦが、第１出力信号または第２出力信号のレベル調整を行なうレベル調整回路と、第１出力信号または第２出力信号の位相反転を行なう位相反転回路と、第１出力信号または第２出力信号の遅延時間を調整する遅延回路と、をそれぞれ含む。
【００１３】
また、好ましくは、本発明のチャンネルデバイダは、音声を音声信号に変換して制御回路へ測定信号として入力するマイクロホンと、マイクロホンからの測定信号のレベルを表示する表示回路と、をさらに備え、テスト信号出力モードにおいて、狭帯域通過フィルタＢＰＦの出力であるテスト信号を、第１出力端子のみから出力する場合に測定する第１測定レベルと、第２出力端子のみから出力する場合に測定する第２測定レベルと、を制御回路が比較して、表示回路が前記クロスオーバー周波数ｆｃ０を変更することあるいは保つことを示唆する表示を行なう、又は、制御回路が該クロスオーバー周波数ｆｃ０を変更してあるいは保って設定する。
【００１４】
また、好ましくは、本発明のチャンネルデバイダは、テスト信号出力モードにおいて、狭帯域通過フィルタＢＰＦの出力であるテスト信号を第１出力端子および第２出力端子の両方から出力する場合に測定する第３測定レベルと、第１測定レベルと、第２測定レベルと、を制御回路が比較して、第３測定レベルが第１測定レベルまたは第２測定レベルよりも所定値以上低い場合には、表示回路が逆相接続に変更することを示唆する表示を行なう、又は、制御回路が第１出力信号または第２出力信号の位相反転を行なう。
【００１５】
また、好ましくは、本発明のチャンネルデバイダは、音声出力モードにおいて、第１出力端子から第１出力信号のみ出力し、又は、第２出力端子から第２出力信号のみ出力する、帯域別音声出力モードをさらに有する。
【００１６】
また、好ましくは、本発明のチャンネルデバイダは、入力される音声信号を、第１出力信号よりも低音域側の第３出力信号、および／または、第２出力信号よりも高音域側の第４出力信号に帯域分割して、それぞれ第３出力端子、および／または、第４出力端子にさらに出力する上記のチャンネルデバイダであって、低域通過フィルタＬＰＦおよび高域通過フィルタＨＰＦが、それぞれ直列接続する他の高域通過フィルタＨＰＦまたは他の低域通過フィルタＬＰＦと組み合わせて帯域通過フィルタＢＰＦを構成し、それぞれ第１出力端子または第２出力端子に出力する。
【００１７】
また、本発明の音響再生システムは、上記のチャンネルデバイダと、チャンネルデバイダのそれぞれの出力端子に対応する増幅回路を含む増幅器と、少なくともウーファー及びツィーターとそれぞれに対応するネットワーク回路とを少なくとも含み、増幅器とバイワイヤリング接続が可能なスピーカーシステムと、を含む。
【００１８】
また、本発明のチャンネルデバイダのクロスオーバー周波数を設定する方法は、入力される音声信号を、少なくとも低音域側の第１出力信号と第１出力信号よりも高音域側の第２出力信号とに帯域分割して、それぞれ第１出力端子および第２出力端子に出力する低域通過フィルタＬＰＦおよび高域通過フィルタＨＰＦを含むチャンネルデバイダと、チャンネルデバイダのそれぞれの出力端子に対応する増幅回路を含む増幅器と、少なくともウーファー及びツィーターとそれぞれに対応するネットワーク回路とを少なくとも含み、増幅器とバイワイヤリング接続が可能なスピーカーシステムと、を含むオーディオ再生システムにおいて、スピーカーシステムのネットワーク回路で設定されているウーファー及びツィーター間でのクロスオーバー周波数ｆｃを探知してチャンネルデバイダのクロスオーバー周波数ｆｃ０を設定する方法であって、チャンネルデバイダの帯域分割を規定する任意のクロスオーバー周波数ｆｃ０を指定するステップと、低域通過フィルタＬＰＦのカットオフ周波数ｆｃＬをクロスオーバー周波数ｆｃ０よりも約１／６〜１オクターブ程度高く設定するステップと、高域通過フィルタＨＰＦのカットオフ周波数ｆｃＨをクロスオーバー周波数ｆｃ０よりも約１／６〜１オクターブ程度低く設定するステップと、低域通過フィルタＬＰＦおよび高域通過フィルタＨＰＦを直列接続して狭帯域通過フィルタＢＰＦを構成するステップと、所定の帯域を含むテスト信号を発生させて狭帯域通過フィルタＢＰＦに通過させるステップと、狭帯域通過フィルタＢＰＦのテスト信号出力を、第１出力端子のみから出力する、又は、第２出力端子のみから出力し、又は、第１出力端子および第２出力端子の両方から出力する、ように切り換えるステップと、を含む。
【００１９】
以下、本発明の作用について説明する。
【００２０】
本発明のチャンネルデバイダは、入力される音声信号を、少なくとも低音域側の第１出力信号と第１出力信号よりも高音域側の第２出力信号とに帯域分割して、それぞれ第１出力端子および第２出力端子に出力する低域通過フィルタＬＰＦおよび高域通過フィルタＨＰＦと、これらのフィルタおよび全体の動作を制御する制御回路と、を含む。チャンネルデバイダは、チャンネルデバイダのそれぞれの出力端子に対応する増幅回路を含む増幅器と、少なくともウーファー及びツィーターとそれぞれに対応するネットワーク回路とを少なくとも含み、増幅器とバイワイヤリング接続が可能なスピーカーシステムと、を含む音響再生システムを構成する。したがって、ユーザーは、チャンネルデバイダを調整して、ウーファーとツィーターとが重複して再生する周波数帯域とその再生レベルを変更できるので、再生音質の調整が容易になるという利点がある。バイワイヤリングＳＳのネットワーク回路は、±６〜１８ｄＢ／Ｏｃｔ．の遷移域特性が一般的であるのに対して、チャンネルデバイダのＬＰＦおよびＨＰＦは±２４〜９６ｄＢ／Ｏｃｔ．以上も可能であり、チャンネルデバイダを導入することで遷移域および阻止域の減衰率を大きくすることができる。
【００２１】
本発明のチャンネルデバイダは、帯域分割を規定する任意のクロスオーバー周波数ｆｃ０を指定する場合に、低域通過フィルタＬＰＦのカットオフ周波数ｆｃＬをクロスオーバー周波数ｆｃ０よりも約１／６〜１オクターブ程度高く設定し、高域通過フィルタＨＰＦのカットオフ周波数ｆｃＨをクロスオーバー周波数ｆｃ０よりも約１／６〜１オクターブ程度低く設定し、周波数帯域ｆｃＬ−ｆｃＨをともに含む第１出力信号および第２出力信号をそれぞれ第１出力端子および第２出力端子に出力する音声出力モードを有する。つまり、このチャンネルデバイダの音声出力モードでは、ネットワーク回路を含むバイワイヤリングＳＳを用いる場合に、ネットワーク回路で設定されているウーファー及びツィーター間でのクロスオーバー周波数ｆｃに近いクロスオーバー周波数ｆｃ０をユーザーが指定すると、低域通過フィルタＬＰＦからはクロスオーバー周波数ｆｃ０よりも約１／６〜１オクターブ程度高いカットオフ周波数ｆｃＬ以下の周波数帯域の信号が出力され、高域通過フィルタＨＰＦからはクロスオーバー周波数ｆｃ０よりも約１／６〜１オクターブ程度低いカットオフ周波数ｆｃＨ以上の周波数帯域の信号が出力される。したがって、クロスオーバー周波数ｆｃ０を中心周波数として含む２／６〜２オクターブ範囲の音声信号が重複する（オーバーラップする）ようになり、それぞれ低域通過フィルタＬＰＦおよび高域通過フィルタＨＰＦから、第１出力信号および第２出力信号として出力される。
【００２２】
その結果、ネットワーク回路を含むバイワイヤリングＳＳを用いて本発明のチャンネルデバイダを動作させても、音圧周波数特性上にディップが生じないようにできる。つまり、バイワイヤリングＳＳのクロスオーバー周波数に対してチャンネルデバイダで設定するクロスオーバー周波数が多少ずれたとしても、低域通過フィルタＬＰＦの出力である第１出力信号と、高域通過フィルタＨＰＦの出力である第２出力信号と、のそれぞれにクロスオーバー周波数を中心周波数として含む２／６〜２オクターブ範囲の音声信号が含まれるからである。バイワイヤリングＳＳは、ネットワーク回路を含んだ上で所定の平坦な合成特性が得られるように調整されているので、本発明のチャンネルデバイダを動作させても、音圧周波数特性上にディップが生じるおそれがなくなる利点がある。一方で、チャンネルデバイダによって、バイワイヤリングＳＳのネットワーク回路よりも急峻な遷移域特性を設定することにより、遷移域および阻止域の減衰率が大きくなるので、ユーザーは、ネットワーク回路を含むバイワイヤリングＳＳを用いる場合にもチャンネルデバイダを導入して再生音質を調整することができる。
【００２３】
なお、チャンネルデバイダは、低域通過フィルタＬＰＦおよび高域通過フィルタＨＰＦが、第１出力信号または第２出力信号のレベル調整を行なうレベル調整回路と、第１出力信号または第２出力信号の位相反転を行なう位相反転回路と、第１出力信号または第２出力信号の遅延時間を調整する遅延回路と、をそれぞれ含むようにしてもよく、再生音質を調整する範囲が広がり、幅広く普及しているバイワイヤリングＳＳにも対応できるようになる。また、このチャンネルデバイダは、音声出力モードにおいて、第１出力端子から第１出力信号のみ出力し、又は、第２出力端子から第２出力信号のみ出力する、帯域別音声出力モードをさらに有していてもよい。ユーザーは、帯域別音声出力モードでは、ウーファーから再生する音声とツィーターから再生する音声との相違を確認しながら、再生音質を調整することができる。
【００２４】
また、本発明のチャンネルデバイダは、好ましくは所定の帯域を含むテスト信号を発生させるテスト信号発生回路をさらに備え、テスト信号を上記のように設定する低域通過フィルタＬＰＦおよび高域通過フィルタＨＰＦを直列接続して構成する狭帯域通過フィルタＢＰＦに通過させ、狭帯域通過フィルタＢＰＦの出力信号を、第１出力端子のみから出力し、又は、第２出力端子のみから出力し、又は、第１出力端子および第２出力端子の両方から出力する、ように切り換えるテスト信号出力モードを有する。つまり、ユーザーは、バイワイヤリングＳＳのネットワーク回路で設定されているクロスオーバー周波数が未知の場合でも、所定の帯域を含むテスト信号を発生させて狭帯域通過フィルタＢＰＦに通過させ、狭帯域通過フィルタＢＰＦのテスト信号出力を、第１出力端子のみから出力する、又は、第２出力端子のみから出力する、又は、第１出力端子および第２出力端子の両方から出力する、ように切り換えると、ウーファーから再生する音圧レベルと、ツィーターから再生する音圧レベルと、を比較することによって未知のクロスオーバー周波数を知ることができる。
【００２５】
なぜなら、上記のチャンネルデバイダが設定するクロスオーバー周波数は、上記の狭帯域通過フィルタＢＰＦの中心周波数を意味し、狭帯域通過フィルタＢＰＦの中心周波数とネットワーク回路のクロスオーバー周波数とが略一致する場合に限って、ウーファーから再生する音圧レベルと、ツィーターから再生する音圧レベルと、がほぼ一致するようになるからである。したがって、チャンネルデバイダが設定するクロスオーバー周波数を変更するステップを繰り返すことで、バイワイヤリングＳＳの未知のクロスオーバー周波数を知ることができる。
【００２６】
チャンネルデバイダが、狭帯域通過フィルタＢＰＦの出力であるテスト信号の再生音を測定するマイクロホンを備える場合には、マイクロホンからの測定信号のレベルを表示回路で表示してもよい。第１出力端子のみから出力する場合に測定する第１測定レベルと、第２出力端子のみから出力する場合に測定する第２測定レベルと、を制御回路が比較して、表示回路にクロスオーバー周波数ｆｃ０を変更することを示唆する表示を行なう、あるいは保つことを示唆する表示を行なうようにしてもよい。又は、チャンネルデバイダの御回路が、クロスオーバー周波数ｆｃ０を変更して、あるいは保って設定してもよい。
【００２７】
なお、ウーファーとツィーターとから同時に再生する場合に合成された音圧レベルが、それぞれの場合の音圧レベルよりも低下する場合には、それぞれの再生音波が打ち消し合う逆位相の関係にあることも判別できる。つまり、テスト信号出力モードにおいて、テスト信号を第１出力端子および第２出力端子の両方から出力する場合に測定する第３測定レベルと、第１測定レベルと、第２測定レベルと、を制御回路が比較して、第３測定レベルが第１測定レベルまたは第２測定レベルよりも所定値以上低い場合には、表示回路が逆相接続に変更することを示唆する表示を行なうようにしてもよい。又は、制御回路が第１出力信号または第２出力信号の位相反転を行なうようにしてもよい。
【００２８】
また、本発明のチャンネルデバイダは、ウーファーおよびツィーターを含む２ｗａｙのバイワイヤリングＳＳに適用するものに限られない。チャンネルデバイダは、サブウーファーおよび／またはミッドレンジおよび／またはスーパーツィーターを含む３〜５ｗａｙのマルチウェイスピーカーに対応するように、入力される音声信号を、第１出力信号よりも低音域側の第３出力信号、および／または、第２出力信号よりも高音域側の第４出力信号に帯域分割して、それぞれ第３出力端子、および／または、第４出力端子にさらに出力するものであってもよい。２ｗａｙのバイワイヤリングＳＳでのウーファーおよびツィーターに対応する低域通過フィルタＬＰＦおよび高域通過フィルタＨＰＦが、それぞれ直列接続する他の高域通過フィルタＨＰＦまたは他の低域通過フィルタＬＰＦと組み合わせて帯域通過フィルタＢＰＦを構成すれば、ネットワーク回路を含むバイワイヤリングＳＳが３〜５ｗａｙのマルチウェイスピーカーであっても同様に、チャンネルデバイダを動作させても、音圧周波数特性上にディップが生じないようにできる。
【発明の効果】
【００２９】
本発明のチャンネルデバイダは、特に、ネットワーク回路を含んでバイワイヤリング接続可能なスピーカーシステムを用いる場合に、適切にチャンネルデバイダのクロスオーバー周波数を設定することができ、音圧周波数特性上にディップが生じるおそれが無く、良好な音声再生を可能にすることができる。
【図面の簡単な説明】
【００３０】
【図１】本発明の好ましい実施形態によるアンプ装置１を含む音響再生システムについて説明する図である。（実施例１）
【図２】本発明の好ましい実施形態による音響再生システムを構成するスピーカーシステム８の音圧周波数特性について説明するグラフである。（実施例１）
【図３】アンプ装置１のチャンネルデバイダ１２のクロスオーバー特性（低域通過フィルタＬＰＦのカットオフ周波数ｆｃＬと高域通過フィルタＨＰＦのカットオフ周波数ｆｃＨを等しく設定する場合）について説明するグラフである。（実施例１）
【図４】アンプ装置１のチャンネルデバイダ１２を使用する場合のスピーカーシステム８の音圧周波数特性（低域通過フィルタＬＰＦのカットオフ周波数ｆｃＬと高域通過フィルタＨＰＦのカットオフ周波数ｆｃＨを等しく設定する場合）について説明するグラフである。（実施例１）
【図５】アンプ装置１のチャンネルデバイダ１２のクロスオーバー特性（低域通過フィルタＬＰＦのカットオフ周波数ｆｃＬよりも高域通過フィルタＨＰＦのカットオフ周波数ｆｃＨを低く設定する場合）について説明するグラフである。（実施例１）
【図６】アンプ装置１のチャンネルデバイダ１２を使用する場合のスピーカーシステム８の音圧周波数特性（低域通過フィルタＬＰＦのカットオフ周波数ｆｃＬよりも高域通過フィルタＨＰＦのカットオフ周波数ｆｃＨを低く設定する場合）について説明するグラフである。（実施例１）
【図７】本発明の好ましい実施形態によるアンプ装置１のチャンネルデバイダ１２のテスト信号出力モードにおけるフィルタ構成について説明する図である。（実施例２）
【図８】本発明の他の好ましい実施形態によるアンプ装置１の表示回路６について説明する図である。（実施例３）
【図９】本発明の好ましい実施形態によるアンプ装置１のチャンネルデバイダ１２のテスト信号出力モードでの動作を説明するフローチャートである。（実施例３）
【発明を実施するための形態】
【００３１】
以下、本発明の好ましい実施形態によるチャンネルデバイダおよびこれを含む音声再生システム、並びに、チャンネルデバイダのクロスオーバー周波数を設定する方法について説明するが、本発明はこれらの実施形態には限定されない。
【実施例１】
【００３２】
図１は、本発明の好ましい実施形態による音響再生システムについて説明する図である。具体的には、音響再生システムは、チャンネルデバイダを含むアンプ装置１と、アンプ装置１に接続するスピーカーシステム８およびマイクロホン９と、を含み、図１は、それぞれの内部構成を示すブロック図である。また、図２、図４および図６は、スピーカーシステム８の音圧周波数特性を説明するグラフであり、図３および図５は、アンプ装置１のチャンネルデバイダのクロスオーバー特性について説明するグラフである。なお、説明に不要な一部の構成や、内部構造等は、図示ならびに説明を省略する。
【００３３】
音響再生システムは、アンプ装置１と、アンプ装置１に接続するスピーカーシステム８と、を含み、アンプ装置１に入力されるデジタル信号データａｄａｔａをステレオ音声信号ＬおよびＲに変換し、アンプ装置１で増幅した後に２本のスピーカー８Ｌおよび８Ｒからなるスピーカーシステム８によってステレオ音声を再生する音声再生システムである。アンプ装置１は、ＤＳＰおよびマルチアンプを含み、チャンネルデバイダを動作させたマルチアンプ接続が可能である。また、スピーカーシステム８は、それぞれウーファーＷＯおよびツィーターＴＷを含む２ｗａｙのバイワイヤリングＳＳであり、アンプ装置１とは、スピーカーコードによってバイワイヤリング接続される。したがって、アンプ装置１を使用するユーザーは、チャンネルデバイダを調整して、ウーファーとツィーターとが重複して再生する周波数帯域とその再生レベルを変更して、スピーカーシステム８の再生音質の調整が可能になる。
【００３４】
アンプ装置１は、デジタル信号データａｄａｔａを信号処理するＤＳＰ（デジタルシグナルプロセッサ）１０と、ＤＳＰ１０の４チャンネル分の出力を受けてアナログ信号に変換するＤ／Ａ変換器２、および、これらのアナログ信号をそれぞれ増幅してスピーカーシステム８へ出力するアンプ回路３と、を少なくとも含む。ステレオ音声信号ＬおよびＲは、アナログで供給されるステレオ信号（左信号Ｌおよび右信号Ｒ）として（図示しない）Ａ／Ｄ変換器を介してＤＳＰ１０に供給されてもよい。アンプ装置１は、全体を制御する制御回路であるＣＰＵ４と、ＣＰＵ４に接続してユーザーからの指示入力を受ける操作部５と、ディスプレイを含む表示回路６と、マイクロホン９が接続するマイクアンプ回路７と、を含む。具体的には、アンプ装置１は、マルチチャンネル音声に対応したＤＳＰおよびマルチチャンネルアンプ回路を内蔵するＡＶレシーバー等により構成し得る。操作部５は、スイッチ、ジョグダイヤル、あるいは、リモコン装置、等の入力デバイスを含む。表示回路６は、内蔵するＦＬディスプレイ、液晶ディスプレイ等でもよく、又は他に接続するディスプレイ装置であってもよい。もちろん、アンプ装置１は、ＤＳＰ１０と、Ｄ／Ａ変換器２と、マルチチャンネルアンプ回路３と、マイコン等のＣＰＵ４と、を含む他の音響再生装置により構成してもよい。また、後述するように、アンプ装置１のマイクロホン端子Ｍに接続するマイクロホン９は、必ずしも備えなくてもよい。
【００３５】
スピーカーシステム８は、ウーファーＷＯおよびツィーターＴＷを含む２ｗａｙのバイワイヤリングＳＳであり、それぞれのスピーカーユニットに対応するネットワーク回路と入力端子を含む。左スピーカー８Ｌおよび右スピーカー８Ｒの低音域再生用のウーファーＷＯは、入力端子ｔＬおよびネットワーク回路ｎＬに接続する。また、高音域再生用のツィーターＴＷは、入力端子ｔＨおよびネットワーク回路ｎＨに接続する。ネットワーク回路ｎＬは、ウーファーＷＯとともに低音域を通過させる低域通過フィルタＬＰＦを構成する。また、ネットワーク回路ｎＨは、ツィーターＴＷとともに高音域を通過させる高域通過フィルタＨＰＦを構成する。ネットワーク回路ｎＬおよびｎＨは、コイル、抵抗、コンデンサを含んで構成されるアナログフィルタである。
【００３６】
図２は、スピーカーシステム８の音圧周波数特性について説明するグラフである。本実施例のスピーカーシステム８のウーファーＷＯおよびツィーターＴＷは、主に音声再生する周波数帯域を、ネットワーク回路ｎＬおよびｎＨにより、クロスオーバー周波数ｆｃを境にして分割されている。ネットワーク回路ｎＬは、クロスオーバー周波数ｆｃよりも高い周波数で−１２ｄＢ／Ｏｃｔ．の遷移域特性を示す２次のＬＰＦフィルタである。また、ネットワーク回路ｎＨは、クロスオーバー周波数ｆｃよりも低い周波数で１２ｄＢ／Ｏｃｔ．の遷移域特性を示す２次のＨＰＦフィルタである。したがって、低音域再生用のウーファーＷＯは、クロスオーバー周波数ｆｃ以下の周波数帯域を主に再生し、ツィーターＴＷは、クロスオーバー周波数ｆｃ以上の周波数帯域を主に再生する。スピーカーシステム８は、ネットワーク回路ｎＬおよびｎＨを用いて同一の信号を入力する場合（つまり、入力端子ｔＬおよびｔＨを接続して入力する場合）に、比較的にフラットな合成音圧周波数特性（図示するＷＯ＋ＴＷ）を実現するように調整されている。なお、本実施例の場合には、クロスオーバー周波数ｆｃは約１．８ｋＨｚである。スピーカーシステム８のネットワーク回路ｎＬおよびｎＨは、緩やかな遷移域特性を示す２次のフィルタであるので、図２に図示するように、クロスオーバー周波数ｆｃの付近でのスピーカーシステム８の再生音は、ウーファーＷＯからの再生音とツィーターＴＷからの再生音とが、幅広く重複することになる。
【００３７】
ＤＳＰ１０は、入力データａｄａｔａをステレオ信号ＬおよびＲに変換するデコーダ１１と、デジタルフィルタを含むチャンネルデバイダ１２と、デコーダ１１に接続してステレオ信号（左信号Ｌおよび右信号Ｒ）に代えてテスト信号をチャンネルデバイダ１２に入力するテスト信号源１３と、を内部に含む。ＤＳＰ１０は、チャンネルデバイダ１２の４チャンネル分の出力端子（ＤＬ１、ＤＬ２、ＤＲ１、ＤＲ２）をＤ／Ａ変換器２へ出力する。チャンネルデバイダ１２は、左信号Ｌおよび右信号Ｒにそれぞれ対応する低域通過フィルタＬＰＦおよび高域通過フィルタＨＰＦと、スイッチＳＷ１〜４と、を含む。ＤＳＰ１０のチャンネルデバイダ１２の低域通過フィルタＬＰＦおよび高域通過フィルタＨＰＦのフィルタ設定と、スイッチＳＷ１〜４の切換えは、ＣＰＵ４により制御される。
【００３８】
チャンネルデバイダ１２の低域通過フィルタＬＰＦおよび高域通過フィルタＨＰＦは、ＦＩＲフィルタまたはＩＩＲフィルタにより構成されるデジタルフィルタである。低域通過フィルタＬＰＦおよび高域通過フィルタＨＰＦは、バターワースフィルタ、Ｌｉｎｋｗｉｔｚ−Ｒｉｌｅｙフィルタ、等が好ましく、ＦＩＲフィルタによる直線位相特性を含むものであってもよい。再生音質を調整する範囲が広がり、幅広いバイワイヤリングＳＳにも対応できるように、低域通過フィルタＬＰＦおよび高域通過フィルタＨＰＦはそれぞれ、レベル調整を行なう（図示しない）レベル調整回路と、位相反転を行なう（図示しない）位相反転回路と、遅延時間を調整する（図示しない）遅延回路と、をそれぞれ含ようにしてもよい。
【００３９】
スイッチＳＷ１は、高域通過フィルタＨＰＦへ入力する信号を、低域通過フィルタＬＰＦへの入力信号の分岐と、低域通過フィルタＬＰＦの出力と、のいずれかに切り換える。スイッチＳＷ２は、低域通過フィルタＬＰＦの出力を第１の出力端子（ＤＬ１、ＤＲ１）へ出力するか否かを切り換える。スイッチＳＷ３は、高域通過フィルタＨＰＦの出力を高音域側のＤ／Ａ変換器２に接続する第２の出力端子（ＤＬ２、ＤＲ２）へ出力するか、低音域側のＤ／Ａ変換器２に接続する出力端子（ＤＬ１、ＤＲ１）へ出力するか、を切り換える。スイッチＳＷ４は、出力端子（ＤＬ１、ＤＬ２）の間、および（ＤＲ１、ＤＲ２）の間を短絡するか、開放するかを切り換える。
【００４０】
チャンネルデバイダ１２のスイッチＳＷ１〜４は、通常の音声再生時には、図１のように、低域通過フィルタＬＰＦと高域通過フィルタＨＰＦとを並列接続して、入力信号がそれぞれに供給されて、低域通過フィルタＬＰＦと高域通過フィルタＨＰＦのそれぞれの出力がＤ／Ａ変換器２へ出力するように切り替えられる。つまり、スイッチＳＷ１は閉じられて、低域通過フィルタＬＰＦへの入力信号の分岐されるのと同じ入力信号を高域通過フィルタＨＰＦに入力し、スイッチＳＷ２およびＳＷ３はそれぞれ閉じられて、低域通過フィルタＬＰＦの出力を第１の出力端子（ＤＬ１、ＤＲ１）へ出力し、高域通過フィルタＨＰＦの出力を第２の出力端子（ＤＬ２、ＤＲ２）へ出力し、スイッチＳＷ４は、開放される。なお、本実施例では、チャンネルデバイダ１２を動作させて音声再生する上記のスイッチ接続状態を「通常音声再生モード」という。ユーザーは、「通常音声再生モード」では、チャンネルデバイダ１２を動作させて、スピーカーシステム８のウーファーＷＯから再生する音声とツィーターＴＷから再生する音声との合成音を確認しながら、再生音質を調整することができる。
【００４１】
スイッチＳＷ２およびＳＷ３は、それぞれＯｎ／Ｏｆｆを切り換えることで、低域通過フィルタＬＰＦの出力を出力端子（ＤＬ１、ＤＲ１）のみへ出力し、又は、高域通過フィルタＨＰＦの出力を出力端子（ＤＬ２、ＤＲ２）へのみへ出力することができる「帯域別音声出力モード」でチャンネルデバイダ１２を動作させることもできる。スイッチＳＷ２を閉じて低域通過フィルタＬＰＦの出力を出力端子（ＤＬ１、ＤＲ１）へ出力し、スイッチＳＷ３をオープンにすると、スピーカーシステム８のウーファーＷＯのみから音声が再生される。一方、スイッチＳＷ２をオープンにして、スイッチＳＷ３を閉じて高域通過フィルタＨＰＦの出力を出力端子（ＤＬ２、ＤＲ２）へ出力すると、スピーカーシステム８のツィーターＴＷのみから音声が再生される。ユーザーは、「帯域別音声出力モード」では、スピーカーシステム８のウーファーＷＯから再生する音声とツィーターＴＷから再生する音声との相違を確認しながら、再生音質を調整することができる。
【００４２】
図３は、アンプ装置１のチャンネルデバイダ１２のクロスオーバー特性について説明するグラフである。図３には、上記の通常音声再生モードにおいて、低域通過フィルタＬＰＦのカットオフ周波数ｆｃＬと高域通過フィルタＨＰＦのカットオフ周波数ｆｃＨを等しく設定し、設定クロスオーバー周波数ｆｃ０とする場合を説明するグラフである。低域通過フィルタＬＰＦは、クロスオーバー周波数ｆｃ０よりも高い周波数で−９６ｄＢ／Ｏｃｔ．の遷移域特性を示すＬＰＦフィルタである。また、高域通過フィルタＨＰＦは、クロスオーバー周波数ｆｃよりも低い周波数で９６ｄＢ／Ｏｃｔ．の遷移域特性を示すＨＰＦフィルタである。図３のグラフでは、設定するクロスオーバー周波数ｆｃ０において、低域通過フィルタＬＰＦおよび高域通過フィルタＨＰＦの通過域よりも−６ｄＢのレベルで、それぞれの出力特性が交叉している。後述するように、上記のように低域通過フィルタＬＰＦのカットオフ周波数ｆｃＬと高域通過フィルタＨＰＦのカットオフ周波数ｆｃＨを等しく設定する場合を、「オーバーラップ無し」とする。
【００４３】
図４は、アンプ装置１のチャンネルデバイダ１２を使用する場合のスピーカーシステム８の音圧周波数特性について説明するグラフである。図３および図４に図示する場合には、チャンネルデバイダ１２のクロスオーバー周波数ｆｃ０は、スピーカーシステム８のネットワーク回路のクロスオーバー周波数ｆｃ（＝１．８ｋＨｚ）よりも高く、約２．０ｋＨｚであるとする。つまり、上記の通常音声再生モードにおいて、低域通過フィルタＬＰＦのカットオフ周波数ｆｃＬと高域通過フィルタＨＰＦのカットオフ周波数ｆｃＨを等しく（＝ｆｃ０）設定する「オーバーラップ無し」の場合に、図４のように、スピーカーシステム８の合成音圧周波数特性（図示するＷＯ＋ＴＷ）にディップが生じることがある。これは、バイワイヤリングＳＳであるスピーカーシステム８のネットワーク回路のクロスオーバー周波数ｆｃに対して、チャンネルデバイダ１２において設定するクロスオーバー周波数ｆｃ０が一致せずにずれている場合に発生する問題である。なぜなら、この音響再生システムでは、アンプ装置１のチャンネルデバイダ１２の帯域分割フィルタと、スピーカーシステム８のネットワーク回路の帯域分割フィルタが直列接続される関係になるからである。バイワイヤリングＳＳのクロスオーバー周波数ｆｃに対して、チャンネルデバイダ１２で設定するクロスオーバー周波数ｆｃ０が「オーバーラップ無し」でずれる場合に、音圧周波数特性上のディップはかなり大きくなり、適切に再生されない帯域が広くなる場合がある。チャンネルデバイダ１２で設定するフィルタが急峻になると、ディップが深くなる場合がある。
【００４４】
図５は、アンプ装置１のチャンネルデバイダ１２のクロスオーバー特性について説明するグラフであり、低域通過フィルタＬＰＦのカットオフ周波数ｆｃＬと高域通過フィルタＨＰＦのカットオフ周波数ｆｃＨを異なるように設定する「オーバーラップ有り」の場合を説明する図である。図５には、上記の通常音声再生モードにおいて、帯域分割を規定するクロスオーバー周波数ｆｃ０を指定する場合に、低域通過フィルタＬＰＦのカットオフ周波数ｆｃＬをクロスオーバー周波数ｆｃ０よりも約１／３オクターブ高く設定し、高域通過フィルタＨＰＦのカットオフ周波数ｆｃＨをクロスオーバー周波数ｆｃ０よりも約１／３オクターブ低く設定している。例えば、クロスオーバー周波数ｆｃ０＝２ｋＨｚを指定すると、低域通過フィルタＬＰＦのカットオフ周波数ｆｃＬを２．５ｋＨｚに設定し、高域通過フィルタＨＰＦのカットオフ周波数ｆｃＨを約１．６ｋＨｚに設定している。なお、低域通過フィルタＬＰＦは、クロスオーバー周波数ｆｃ０よりも高い周波数で−９６ｄＢ／Ｏｃｔ．の遷移域特性を示すＬＰＦフィルタである。また、高域通過フィルタＨＰＦは、クロスオーバー周波数ｆｃよりも低い周波数で９６ｄＢ／Ｏｃｔ．の遷移域特性を示すＨＰＦフィルタである。「オーバーラップ無し」または「オーバーラップ有り」は、ＣＰＵ４がＤＳＰ１０を制御して設定する。
【００４５】
図５のグラフでは、設定するクロスオーバー周波数ｆｃ０において、低域通過フィルタＬＰＦおよび高域通過フィルタＨＰＦの通過域が重なってオーバーラップしている。このように、低域通過フィルタＬＰＦのカットオフ周波数ｆｃＬをクロスオーバー周波数ｆｃ０よりも約１／６〜１オクターブ程度高く設定し、高域通過フィルタＨＰＦのカットオフ周波数ｆｃＨをクロスオーバー周波数ｆｃ０よりも約１／６〜１オクターブ程度低く設定し、「オーバーラップ有り」に設定すると、低域通過フィルタＬＰＦの第１の出力（ＤＬ１、ＤＲ１）と高域通過フィルタＨＰＦの第２の出力（ＤＬ２、ＤＲ２）には、周波数帯域ｆｃＬ−ｆｃＨがともに含まれる。したがって、スピーカーシステム８のネットワーク回路のクロスオーバー周波数ｆｃ＝１．８ｋＨｚ付近の周波数帯域成分は、低域通過フィルタＬＰＦの出力（ＤＬ１、ＤＲ１）および高域通過フィルタＨＰＦの出力（ＤＬ２、ＤＲ２）の両方に含まれる。
【００４６】
図６は、本実施例のアンプ装置１のチャンネルデバイダ１２を使用する場合のスピーカーシステム８の音圧周波数特性について説明するグラフであり、低域通過フィルタＬＰＦのカットオフ周波数ｆｃＬと高域通過フィルタＨＰＦのカットオフ周波数ｆｃＨを異なるように設定する「オーバーラップ有り」の場合を説明する図である。チャンネルデバイダ１２において設定するクロスオーバー周波数ｆｃ０＝２ｋＨｚが、スピーカーシステム８のネットワーク回路のクロスオーバー周波数ｆｃ＝１．８ｋＨｚとは多少ずれていても、「オーバーラップ有り」とすることで、図６に図示するように、スピーカーシステム８の合成音圧周波数特性（図示するＷＯ＋ＴＷ）にディップが発生しなくなる。スピーカーシステム８がバイワイヤリングＳＳである場合には、ネットワーク回路ｎＬおよびｎＨを含んだ上で平坦な合成特性が得られるように調整されているので、チャンネルデバイダ１２を「オーバーラップ有り」の通常音声再生モードで設定すれば、音圧周波数特性上にディップが生じない。
【００４７】
本実施例のようにチャンネルデバイダ１２の「オーバーラップ有り」の通常音声再生モードにおいて、スピーカーシステム８のネットワーク回路の遷移域特性（±１２ｄＢ／Ｏｃｔ．）よりも急峻な遷移域特性（±９６ｄＢ／Ｏｃｔ．）を設定すると、遷移域および阻止域の減衰率が大きくなるので、基本的なスピーカーシステム８の音圧周波数特性は変更することなく、かつ、音響再生システムの再生音質を変化するように調整することができる。本実施例のように、２ｗａｙのスピーカーシステム８においてステレオ音声を再生すると、そのクロスオーバー周波数ｆｃを跨ぐように歌手のボーカル音声の再生帯域が存在するので、チャンネルデバイダ１２により急峻な遷移域特性を設定すると、ウーファーＷＯの再生音波とツィーターＴＷの再生音波との間での干渉が実質的に減少し、ユーザーは、チャンネルデバイダ１２を機能させない場合に比較して、歌手のボーカルの大きさがより小さくなるような音像感を得ることができる。
【００４８】
チャンネルデバイダ１２の低域通過フィルタＬＰＦおよび高域通過フィルタＨＰＦのクロスオーバー周波数ｆｃは、細かく設定できるのが好ましいが、例えば、ＪＩＳ規格（又はＩＳＯ／ＩＥＣ規格）に倣って１／３オクターブ程度、または、１／６オクターブ程度のステップで設定できるものであってもよい。「オーバーラップ有り」の場合に、低域通過フィルタＬＰＦのカットオフ周波数ｆｃＬをクロスオーバー周波数ｆｃ０よりも約１／６〜１オクターブ程度高く設定し、高域通過フィルタＨＰＦのカットオフ周波数ｆｃＨをクロスオーバー周波数ｆｃ０よりも約１／６〜１オクターブ程度低く設定するにしても、重複してオーバーラップする周波数帯域を狭くする方が、チャンネルデバイダ１２による音質調整の効果が高くなる。一方で、スピーカーシステム８のネットワーク回路が、緩やかな遷移域特性を持つ場合には、重複する周波数帯域を２オクターブ程度まで広くする方が、音圧周波数特性上にディップを生じにくくすることができる。
【００４９】
ただし、チャンネルデバイダ１２は、上記実施例のようなウーファーＷＯおよびツィーターＴＷを含む２ｗａｙのバイワイヤリングＳＳに適用するものに限られない。チャンネルデバイダ１２は、サブウーファーおよび／またはミッドレンジおよび／またはスーパーツィーターを含む３〜５ｗａｙのマルチウェイスピーカーである（図示しない）バイワイヤリングＳＳに対応するように、３〜５ｗａｙ用の帯域通過フィルタＢＰＦを含む構成にしてもよい。帯域通過フィルタＢＰＦは、低域通過フィルタＬＰＦおよび高域通過フィルタＨＰＦに、それぞれ他の高域通過フィルタＨＰＦまたは他の低域通過フィルタＬＰＦを直列接続して構成してもよい。つまり、隣接して帯域分割するフィルタの間で「オーバーラップ有り」とするようにフィルタを設定することで、３〜５ｗａｙのバイワイヤリングＳＳに対応してチャンネルデバイダを動作させても、音圧周波数特性上にディップが生じないようにすることができる。
【００５０】
もちろん、ネットワーク回路を用いないウーファーおよびツィーターを含むマルチウェイスピーカーの場合にも、チャンネルデバイダ１２の「オーバーラップ有り」の設定は有効である。また、スピーカーシステム８がネットワーク回路を用いないフルレンジスピーカーを含む場合にも、同様に「オーバーラップ有り」の設定は有効である。フルレンジスピーカー、あるいは、ウーファー、ツィーター等のスピーカーの再生音圧周波数特性の限界に起因するレベル低下に対応して、他のスピーカーとの実質的なクロスオーバー周波数ｆｃが設定されている場合にも、これに合わせたチャンネルデバイダ１２のクロスオーバー周波数ｆｃ０を設定することができる。
【実施例２】
【００５１】
図７は、上記実施例のアンプ装置１のチャンネルデバイダ１２の「テスト信号出力モード」における左信号Ｌ側のフィルタ構成について説明する図である。テスト信号出力モードでは、アンプ装置１のＤＳＰ１０のテスト信号源１３を動作させて、テスト信号をステレオ信号（左信号Ｌおよび右信号Ｒ）に代えてチャンネルデバイダ１２に入力する。テスト信号は、所定の周波数帯域成分を持つホワイトノイズ、ピンクノイズ、等の雑音信号、または、純音をスイープするスイープ信号、あるいは、インパルス信号、等のいずれかのテスト信号であればよい。右信号Ｒ側のフィルタ構成については、同様であるので図示並びに説明を省略する。
【００５２】
アンプ装置１のテスト信号出力モードでは、ユーザーは、バイワイヤリングＳＳであるスピーカーシステム８のネットワーク回路ｎＬおよびｎＨで設定されているクロスオーバー周波数ｆｃが未知の場合でも、テスト信号出力モードにおいてアンプ装置１のＤＳＰ１０の所定の帯域を含むテスト信号源１３を動作させるとともに、低域通過フィルタＬＰＦおよび高域通過フィルタＨＰＦの接続を変更するスイッチＳＷ１〜４の開閉状態を変えるようにして、未知のクロスオーバー周波数ｆｃを知ることができる。図７（ａ）〜（ｄ）に図示するように、ＣＰＵ４がスイッチＳＷ１〜４の開閉状態を変えて、テスト信号源１３からのテスト信号をフィルタ処理し、出力端子ＤＬ１およびＤＬ２からスピーカーシステム８に出力する。
【００５３】
テスト信号出力モードでは、上記実施例における通常音声再生モードの「オーバーラップ有り」の場合と同様に低域通過フィルタＬＰＦおよび高域通過フィルタＨＰＦが設定される。つまり、図６に図示する場合と同様に、低域通過フィルタＬＰＦの出力と高域通過フィルタＨＰＦの出力には、低域通過フィルタＬＰＦのカットオフ周波数ｆｃＬと高域通過フィルタＨＰＦのカットオフ周波数ｆｃＨとの間の周波数帯域ｆｃＬ−ｆｃＨがともに含まれる。したがって、低域通過フィルタＬＰＦおよび高域通過フィルタＨＰＦの設定については、説明を省略する。
【００５４】
図７（ａ）は、図１〜６で示す上記の通常音声再生モードの場合と、スイッチＳＷ１〜４の開閉状態が同じである。したがって、ユーザーは、「テスト信号出力モード」においても、チャンネルデバイダ１２を動作させて、スピーカーシステム８のウーファーＷＯから再生するテスト信号による音声とツィーターＴＷから再生するテスト信号による音声との合成音を確認しながら、再生音質を調整することができる。もちろん、上記の帯域別音声出力モードのようにスイッチＳＷ２およびＳＷ３の短絡／開放を切り換えることで、スピーカーシステム８のウーファーＷＯから再生するテスト信号による音声とツィーターＴＷから再生するテスト信号による音声との相違を確認しながら、チャンネルデバイダ１２を動作させる場合の再生音質を調整することができる。
【００５５】
次に、アンプ装置１のテスト信号出力モードにおいては、図７（ｂ）〜（ｄ）に図示するように、スイッチＳＷ１は、高域通過フィルタＨＰＦへ入力する信号を、低域通過フィルタＬＰＦの出力にするように切り換えられる。また、スイッチＳＷ２は開放されて、低域通過フィルタＬＰＦの出力を出力端子（ＤＬ１、ＤＲ１）へ出力しないように切り換えられる。その結果、低域通過フィルタＬＰＦと高域通過フィルタＨＰＦとを直列接続する狭帯域通過フィルタＢＰＦが構成される。チャンネルデバイダ１２を通常音声再生モードで動作させる場合に、適切に設定されるべきクロスオーバー周波数ｆｃ０は、上記の狭帯域通過フィルタＢＰＦの中心周波数になる。
【００５６】
したがって、この狭帯域通過フィルタＢＰＦの中心周波数ｆｃ０とバイワイヤリングＳＳであるスピーカーシステム８のネットワーク回路ｎＬおよびｎＨのクロスオーバー周波数ｆｃとが略一致する場合には、ウーファーＷＯから再生する音圧レベルと、ツィーターＴＷから再生する音圧レベルと、がほぼ一致するようになる。そこで、アンプ装置１のテスト信号出力モードにおいては、チャンネルデバイダ１２が設定するクロスオーバー周波数ｆｃ０を変更するステップを繰り返すことで、ウーファーＷＯから再生する音圧レベルとツィーターＴＷから再生する音圧レベルとがほぼ一致する周波数を確認できるので、バイワイヤリングＳＳであるスピーカーシステム８の未知のクロスオーバー周波数ｆｃを知ることができる。
【００５７】
つまり、アンプ装置１のテスト信号出力モードにおいては、所定の帯域信号を含むテスト信号を狭帯域通過フィルタＢＰＦに通過させ、狭帯域通過フィルタＢＰＦの出力を図７（ｂ）に図示するように出力端子ＤＬ１のみから出力する、又は、狭帯域通過フィルタＢＰＦの出力を図７（ｃ）に図示するように出力端子ＤＬ２のみから出力する、又は、狭帯域通過フィルタＢＰＦの出力を図７（ｄ）に図示するように出力端子ＤＬ１および出力端子ＤＬ２の両方から出力する、ように切り換えると、スピーカーシステム８のウーファーＷＯから再生する音圧レベルと、ツィーターＴＷから再生する音圧レベルと、を比較することによって、スピーカーシステム８のクロスオーバー周波数ｆｃが未知でも、これに一致するチャンネルデバイダ１２のクロスオーバー周波数ｆｃ０を設定できる。
【００５８】
急峻な遷移域特性を有する低域通過フィルタＬＰＦと高域通過フィルタＨＰＦとを直列接続して構成される狭帯域通過フィルタＢＰＦは、クロスオーバー周波数ｆｃ０を中心周波数として含む２／６〜２オクターブ範囲のみのテスト信号を通過させるので、クロスオーバー周波数ｆｃ０の設定が不適当な場合には、スピーカーシステム８のネットワーク回路ｎＬおよびｎＨのゲイン特性に応じて明らかな音圧レベル差が発生する。スピーカーシステム８の未知のクロスオーバー周波数ｆｃよりも設定するクロスオーバー周波数ｆｃ０が低い場合に、ウーファーＷＯから再生する音圧レベルがツィーターＴＷから再生する音圧レベルよりも高くなる。又は、スピーカーシステム８の未知のクロスオーバー周波数ｆｃよりも設定するクロスオーバー周波数ｆｃ０が高い場合に、ウーファーＷＯから再生する音圧レベルがツィーターＴＷから再生する音圧レベルよりも低くなる。
【００５９】
ただし、狭帯域通過フィルタＢＰＦの中心周波数ｆｃ０とネットワーク回路ｎＬおよびｎＨのクロスオーバー周波数ｆｃとが略一致する場合には、ウーファーＷＯから再生する音圧レベルと、ツィーターＴＷから再生する音圧レベルと、がほぼ一致する。したがって、ユーザーは、マイクロホン９を使わなくても聴感上の音の大きさを頼りに、クロスオーバー周波数ｆｃ０を変更してスピーカーシステム８のネットワーク回路ｎＬおよびｎＨの未知のクロスオーバー周波数ｆｃにほぼ一致させることができる。バイワイヤリングＳＳのクロスオーバー周波数に対してチャンネルデバイダで設定するクロスオーバー周波数がずれなければ、音圧周波数特性上にディップが生じなくなって、適切に音声再生が可能になる。また、ユーザーは、マイクロホンおよびレベルメータ、ＦＦＴアナライザ等の測定器が無くても、バイワイヤリングＳＳの未知のクロスオーバー周波数を知ることができるので、チャンネルデバイダを機能させて適正に再生音質の調整を行なうことができる。
【実施例３】
【００６０】
図８は、上記実施例のアンプ装置１の表示回路６について説明する図である。また、図９は、アンプ装置１のチャンネルデバイダ１２のテスト信号出力モードでの動作を説明するフローチャートである。本実施例のアンプ装置１は、チャンネルデバイダ１２の「テスト信号出力モード」において、マイクアンプ回路７に接続するマイクロホン９を用いて、バイワイヤリングＳＳであるスピーカーシステム８のクロスオーバー周波数ｆｃが未知であっても、チャンネルデバイダ１２のクロスオーバー周波数ｆｃ０を適切に設定することができる。チャンネルデバイダ１２の「テスト信号出力モード」については、上記実施例と同様であるので、本実施例の説明では、重複する説明を省略する。
【００６１】
マイクアンプ回路７は、マイクロホン９からの入力信号を増幅する増幅段７１と、増幅段７１の出力をＣＰＵ４に出力するようにフィルタ処理する出力回路７２と、を含む。したがって、アンプ装置１のＣＰＵ４は、テスト信号出力モードにおいてテスト信号源１３から発生させたテスト信号に同期してマイクロホン９から検出される音声信号を、テスト信号の再生音として検出し、表示回路６に表示することができる。テスト信号出力モードにおいて、表示回路６は、少なくとも、設定するクロスオーバー周波数ｆｃ０を示す窓表示８０と、測定したスピーカーシステム８のウーファーＷＯからのテスト信号の再生音圧レベル８１と、測定したツィーターＴＷからのテスト信号の再生音圧レベル８２と、ウーファーＷＯとツィーターＴＷとから同時に再生されて合成されたテスト信号の再生音圧レベル８３と、を表示するとともに、クロスオーバー周波数ｆｃ０を変更することを示唆する窓表示８４を行なう。テスト信号の再生音圧レベル８１〜８３は、図８のようにバー表示によってユーザーに対して音圧レベルの大小を表示してもよい。
【００６２】
例えば、図８（ａ）は、ユーザーがアンプ装置１の操作部５を操作して、チャンネルデバイダ１２のクロスオーバー周波数ｆｃ０を２．０ｋＨｚに設定する場合の表示回路６を説明する図である。テスト信号出力モードにおいては、所定の帯域信号を含むテスト信号を狭帯域通過フィルタＢＰＦに通過させ、図７（ｂ）〜（ｄ）に図示するように切り換えて出力すると、スピーカーシステム８のウーファーＷＯから再生するテスト信号の音圧レベル８１と、ツィーターＴＷから再生するテスト信号の音圧レベル８２と、ウーファーＷＯとツィーターＴＷとから同時に再生されて合成されたテスト信号の音圧レベル８３と、をそれぞれ測定して表示できる。図８（ａ）の場合には、ウーファーＷＯから再生するテスト信号の音圧レベル８１が、ツィーターＴＷから再生するテスト信号の音圧レベル８２よりも小さくなる。この場合は、チャンネルデバイダ１２のクロスオーバー周波数ｆｃ０は、スピーカーシステム８のクロスオーバー周波数ｆｃ（＝１．８ｋＨｚ）よりも高いので、表示回路６の窓表示８４は、クロスオーバー周波数ｆｃ０を低く（Ｄｏｗｎ）するように変更することを示唆するように表示する。
【００６３】
次に、図８（ｂ）は、ユーザーがアンプ装置１の操作部５を操作して、チャンネルデバイダ１２のクロスオーバー周波数ｆｃ０を１．６ｋＨｚに設定する場合の表示回路６を説明する図である。図８（ｂ）の場合には、ウーファーＷＯから再生するテスト信号の音圧レベル８１が、ツィーターＴＷから再生するテスト信号の音圧レベル８２よりも大きくなる。この場合は、チャンネルデバイダ１２のクロスオーバー周波数ｆｃ０は、スピーカーシステム８のクロスオーバー周波数ｆｃ（＝１．８ｋＨｚ）よりも低いので、表示回路６の窓表示８４は、クロスオーバー周波数ｆｃ０を高く（Ｕｐ）するように変更することを示唆するように表示する。
【００６４】
次に、図８（ｃ）は、ユーザーがアンプ装置１の操作部５を操作して、チャンネルデバイダ１２のクロスオーバー周波数ｆｃ０を１．８ｋＨｚに設定する場合の表示回路６を説明する図である。図８（ｃ）の場合には、ウーファーＷＯから再生するテスト信号の音圧レベル８１が、ツィーターＴＷから再生するテスト信号の音圧レベル８２とほぼ等しくなる。さらに、ウーファーＷＯとツィーターＴＷとから同時に再生されて合成されたテスト信号の再生音圧レベル８３が、それぞれウーファーＷＯとツィーターＴＷとが単独の場合の音圧レベル８１又は８２よりも大きくなる。したがって、ウーファーＷＯからの再生音波と、ツィーターＴＷからの再生音波は、マイクロホン９の位置において互いに同相の関係であると推測できる。この場合は、チャンネルデバイダ１２のクロスオーバー周波数ｆｃ０は、スピーカーシステム８のクロスオーバー周波数ｆｃ（＝１．８ｋＨｚ）とほぼ一致しており、かつ、好ましい同相の関係にあるので、表示回路６の窓表示８４は、クロスオーバー周波数ｆｃ０をそのまま保つ（Ｋｅｅｐ）ことを示唆するように表示する。
【００６５】
次に、図８（ｄ）は、ユーザーがアンプ装置１の操作部５を操作して、チャンネルデバイダ１２のクロスオーバー周波数ｆｃ０を１．８ｋＨｚに設定する場合の表示回路６を説明する図である。図８（ｃ）の場合には、ウーファーＷＯから再生するテスト信号の音圧レベル８１が、ツィーターＴＷから再生するテスト信号の音圧レベル８２とほぼ等しいが、ウーファーＷＯとツィーターＴＷとから同時に再生されて合成されたテスト信号の再生音圧レベル８３が、それぞれウーファーＷＯとツィーターＴＷとが単独の場合の音圧レベル８１又は８２よりも小さくなる。ウーファーＷＯからの再生音波と、ツィーターＴＷからの再生音波は、マイクロホン９の位置において互いに逆相の関係になって打ち消しあっていると推測できるので、ウーファーＷＯまたはツィーターＴＷのいずれか一方を逆相接続に変更するのが好ましい。したがって、表示回路６の窓表示８４は、逆相接続に変更する（Ｉｎｖｅｒｔ）ことを示唆するように表示する。
【００６６】
したがって、ユーザーは、アンプ装置１のチャンネルデバイダ１２が設定するクロスオーバー周波数ｆｃ０を、表示回路６の窓表示８４の示唆にしたがって変更する操作を繰り返すことで、スピーカーシステム８のクロスオーバー周波数ｆｃが未知の場合にも、これにほぼ一致するようにチャンネルデバイダ１２のクロスオーバー周波数ｆｃ０を設定することができる。また、適切なクロスオーバー周波数ｆｃ０を設定できれば、ユーザーは、ウーファーＷＯおよびツィーターＴＷを同相接続または逆相接続のいずれかに変更するのが好ましいのかを知ることができるので、通常音声再生モードで音声再生する場合に、チャンネルデバイダ１２の低域通過フィルタＬＰＦおよび高域通過フィルタＨＰＦの位相反転回路を調整して、通音圧周波数特性上にディップが生じないようにすることができる。もちろん、低域通過フィルタＬＰＦおよび高域通過フィルタＨＰＦのレベル調整回路と、遅延回路と、をそれぞれ調整するようにしてもよい。
【００６７】
本実施例では、ユーザーがアンプ装置１の操作部５を操作して、チャンネルデバイダ１２のクロスオーバー周波数ｆｃ０を変更しているが、ＣＰＵ４がクロスオーバー周波数ｆｃ０を自動的に変更するようにしてもよい。図９のフローチャートに示すように、ＣＰＵ４は、アンプ装置１のチャンネルデバイダ１２のテスト信号出力モードでの動作を制御することができる。スピーカーシステム８のネットワーク回路ｎＬおよびｎＨで設定されているクロスオーバー周波数ｆｃが未知の場合に、チャンネルデバイダ１２の通常音声再生モードから移行してテスト信号出力モードの動作を開始する（Ｓ００１）。ＣＰＵ４は、最初にチャンネルデバイダ１２の低域通過フィルタＬＰＦと高域通過フィルタＨＰＦとを直列接続して狭帯域通過フィルタＢＰＦを設定する（Ｓ００２）。
【００６８】
次に、ＣＰＵ４は、ＤＳＰ１０の所定の帯域を含むテスト信号源１３を動作させるとともに、低域通過フィルタＬＰＦおよび高域通過フィルタＨＰＦの接続を変更するスイッチＳＷ１〜４の開閉状態を切り換える（Ｓ００３）。例えば、所定時間のミュート動作の後に、狭帯域通過フィルタＢＰＦの出力を、（１）図７（ｂ）に図示するように出力端子ＤＬ１のみからウーファーＷＯへ所定時間継続して出力し、さらに所定時間のミュート動作の後に、（２）図７（ｃ）に図示するように出力端子ＤＬ２のみからツィーターＴＷへ所定時間継続して出力し、さらに所定時間のミュート動作の後に、（３）図７（ｄ）に図示するように出力端子ＤＬ１および出力端子ＤＬ２の両方から所定時間継続して出力する、ようにスイッチＳＷ１〜４を切り換える。マイクロホン９を使ってテスト信号による音圧レベルを所定の回数だけ測定するように繰り返し（Ｓ００４：Ｎｏ）、これを所定の回数以上繰り返して測定した場合（Ｓ００４：Ｙｅｓ）には、測定されたウーファーＷＯから再生するテスト信号の音圧レベル８１と、ツィーターＴＷから再生するテスト信号の音圧レベル８２と、がほぼ等しいと言えるかどうかを確認する（Ｓ００５）。
【００６９】
測定されたウーファーＷＯから再生するテスト信号の音圧レベル８１と、ツィーターＴＷから再生するテスト信号の音圧レベル８２と、が異なる場合（Ｓ００５：Ｎｏ）には、ＣＰＵ４は、それらの大小を比較して（Ｓ００６）、ウーファーＷＯからの音圧レベル８１の方がツィーターＴＷからの音圧レベル８２よりも低い場合（Ｓ００６：Ｙｅｓ）には、チャンネルデバイダ１２が設定するクロスオーバー周波数ｆｃ０を低くするように変更する（Ｓ００７）。一方、ウーファーＷＯからの音圧レベル８１の方がツィーターＴＷからの音圧レベル８２よりも高い場合（Ｓ００６：Ｙｅｓ）には、チャンネルデバイダ１２が設定するクロスオーバー周波数ｆｃ０を高くするように変更する（Ｓ００８）。ＣＰＵ４は、テスト信号出力モードを終了するかしないかを判断し（Ｓ０１１）、終了しない場合（Ｓ０１１：Ｎｏ）には、狭帯域通過フィルタＢＰＦを設定するステップ（Ｓ００２）に戻って、チャンネルデバイダ１２のクロスオーバー周波数ｆｃ０とスピーカーシステム８のクロスオーバー周波数ｆｃとがほぼ一致するまで上記のステップを繰り返す。
【００７０】
その結果、測定されたウーファーＷＯから再生するテスト信号の音圧レベル８１と、ツィーターＴＷから再生するテスト信号の音圧レベル８２と、がほぼ一致する場合（Ｓ００５：Ｙｅｓ）には、ＣＰＵ４は、チャンネルデバイダ１２の設定すべきクロスオーバー周波数ｆｃ０を確認できたので、ウーファーＷＯとツィーターＴＷとから同時に再生されて合成されたテスト信号の再生音圧レベル８３が、それぞれウーファーＷＯとツィーターＴＷとが単独の場合の音圧レベル８１又は８２よりも小さくなっているかどうかを判断する（Ｓ００９）。ウーファーＷＯとツィーターＴＷの合成再生音圧レベル８３が、それぞれ単独の場合の音圧レベル８１又は８２よりも大きい場合（Ｓ００９：Ｎｏ）には、ウーファーＷＯからの再生音波と、ツィーターＴＷからの再生音波は、マイクロホン９の位置において互いに同相の関係になっているので、ＣＰＵ４は、クロスオーバー周波数ｆｃ０を自動的に変更するステップを終了する（Ｓ０１１：Ｙｅｓ）。
【００７１】
一方、これらのレベル差の絶対値が所定値よりも大きい場合（Ｓ００９：Ｙｅｓ）には、ウーファーＷＯからの再生音波と、ツィーターＴＷからの再生音波は、マイクロホン９の位置において互いに逆相の関係になって打ち消しあっていると推測できるので、ＣＰＵ４は、ウーファーＷＯまたはツィーターＴＷのいずれか一方を逆相接続に変更するように、低域通過フィルタＬＰＦおよび高域通過フィルタＨＰＦの位相反転回路を設定する（Ｓ０１０）。その後にＣＰＵ４は、テスト信号出力モードを終了するかしないかを判断し（Ｓ０１１）、終了しない場合（Ｓ０１１：Ｎｏ）には、狭帯域通過フィルタＢＰＦを設定するステップ（Ｓ００２）に戻って、チャンネルデバイダ１２のクロスオーバー周波数ｆｃ０とスピーカーシステム８のクロスオーバー周波数ｆｃとがほぼ一致するまで上記のステップを繰り返す。ＣＰＵ４は、テスト信号出力モードを終了する場合には（Ｓ０１１：Ｙｅｓ）、クロスオーバー周波数ｆｃ０を自動的に変更するステップを終了する（Ｓ０１２）。
【００７２】
なお、本実施例のアンプ装置１のチャンネルデバイダ１２のテスト信号出力モードでは、これを制御するＣＰＵ４が、表示回路６にクロスオーバー周波数ｆｃ０を変更することを示唆する表示を行ない、ユーザーが操作部５を操作してクロスオーバー周波数ｆｃ０を変更する場合、あるいは、自動的にクロスオーバー周波数ｆｃ０を変更する場合を説明したが、これらを一部組み合わせてテスト信号出力モードを構成してもよい。例えば、ＣＰＵ４が、ウーファーＷＯまたはツィーターＴＷのいずれか一方を逆相接続に変更するのが好ましいと判断する場合には、同相接続の場合と逆相接続の場合とを所定回数切り換えて自動的にテスト信号音声の測定を行ない、その後に最終的にユーザーに同相接続と逆相接続のいずれかを選択するかを決定させるようにしてもよい。また、テスト信号出力モードでのチャンネルデバイダ１２の設定を変更する場合には、ユーザーが操作部５を操作すると直ちに通常音声再生モードへ移行するようにして、適切にチャンネルデバイダ１２が設定されているかどうかを、ユーザーが音楽等の音声信号で再生して試聴確認できるようにしてもよい。
【００７３】
また、チャンネルデバイダ１２のスイッチＳＷ１〜４を含む接続の構成は、上記実施例で説明および図示する構成に限られない。つまり、スイッチＳＷ１〜４は、アンプ装置１のテスト信号出力モードにおいては、所定の帯域信号を含むテスト信号を狭帯域通過フィルタＢＰＦに通過させるようにして、この狭帯域通過フィルタＢＰＦの出力を第１の出力端子ＤＬ１のみから出力する、又は、第２の出力端子ＤＬ２のみから出力する、又は、出力端子ＤＬ１および出力端子ＤＬ２の両方から出力する、ように切り換えるものであれば、他のスイッチの組み合わせであってもよい。また、スイッチＳＷ１〜４は、チャンネルデバイダ１２を構成するＤＳＰ１０のシグナルフローにおける乗算器で代用してもよい。乗算器の乗算係数を１にすれば短絡になり、乗算係数を０にすれば開放と等価になる。
【００７４】
また、本発明のチャンネルデバイダ１２は、特に、ネットワーク回路を含んでバイワイヤリング接続可能なスピーカーシステム８を用いる場合に、適切にチャンネルデバイダ１２のクロスオーバー周波数ｆｃを設定することができる。したがって、ユーザーは、音圧周波数特性上にディップが生じるおそれが無く、良好な音声再生を可能にすることができる。チャンネルデバイダ１２は、狭帯域通過フィルタＢＰＦのテスト信号出力を選択的に再生し、スピーカーシステム８のウーファーＷＯから再生する音圧レベルと、ツィーターＴＷから再生する音圧レベルと、を比較できれば、スピーカーシステム８のクロスオーバー周波数ｆｃが未知でも、これに一致するクロスオーバー周波数ｆｃ０を設定できる。
【産業上の利用可能性】
【００７５】
本発明のチャンネルデバイダは、ステレオ音声信号を再生するステレオ装置のみならず、マルチチャンネルサラウンド音声再生装置を含む音響再生システムにも適用が可能である。
【符号の説明】
【００７６】
１        アンプ装置
２        Ｄ／Ａ変換器
３        アンプ回路
４        ＣＰＵ
５        操作部
６        表示回路
７        マイクアンプ回路
８        スピーカーシステム
９        マイクロホン
１０      ＤＳＰ
１１      デコーダ
１２      チャンネルデバイダ
１３      テスト信号源
【図１】
0005445574.tif 000002
【図２】
0005445574.tif 000003
【図３】
0005445574.tif 000004
【図４】
0005445574.tif 000005
【図５】
0005445574.tif 000006
【図６】
0005445574.tif 000007
【図７】
0005445574.tif 000008
【図８】
0005445574.tif 000009
【図９】
0005445574.tif 000010